(57)【要約】【課題】現在一般に広く利用されている花立は図８のように、常に開口部を上に向けて、そこに花を差し入れるようになっており、平時、常に水の滞留を招き。水の腐敗、ボウフラの発生による感染症の蔓延の危険性がある。【解決方法】本発明の花立ては、有底筒状の本体部と、本体部の長手方向の途中に取り付けられた鍔とを有し、前記本体部は底部の外径と花を挿入する開口部の外径とが、ほぼ同一で有り前記開口部に飾り縁がない事を特徴とする。これにより逆さに伏せた状態で保管することが可能になる。【選択図】    図１
2019120035.tif 000002
【特許請求の範囲】
【請求項１】
花を生けるための有底筒状の本体部と、本体部の長手方向の途中に取り付けられた鍔とを有し、前記本体部は底部の外径と花を挿入する開口部の外径とが、ほぼ同一で有り前記開口部に飾り縁がない事を特徴とする花立。
【請求項２】
前記本体部の開口部に断面が凸凹状をなす補強部を設けたことを特徴とする請求項１に記載する花立。
【請求項３】
鍔を本体の中間部分に付けることを特徴とする請求項１又は２に記載する花立。
【発明の詳細な説明】
【技術分野】
【０００１】
本発明は墓の花立てに関する。
【背景技術】
【０００２】
現在一般に広く利用されている花立は図８のように、常に開口部を上に向けて、そこに花を差し入れるようになっており、この花立てを逆さまにして設置させることまでは想定していない。
【０００３】
従前の花立は正位の位置で頭頂部が開いた飾りのような状態になっている。どの花立を見ても逆さにして花立受け石に挿入できるような形状にはなっていない。この飾りは花を供える上で必要不可欠なものではなく、供える花やその下の葉により隠れてしまうこともある。
【０００４】
なお、墓の花立とは切り花用の水を蓄え、切り花等を入れる筒状の容器のことである。また花立受け石（以下受け石という）とは石材に円柱状の穴が開いていて花立を挿入して納める受け石である。
【０００５】
花立の正位とは水をたたえて切り花を供えられる状態のことである。花立の逆位とは花立を逆さまにして伏せるように受け石に挿入して水が溜まらないようにした状態である。鍔（つば）とは花立の筒状中途に花立を安定させるために支える円盤状の輪であり、水を溜めない「逆位の軽い状態」でも風による騒音の影響を受けにくくなり安定する、また隙間にゴミや砂が入りにくくなる既存の花立に共通するものであるが、本申請においては逆位の状態において必要不可欠のものである。
【０００６】
墓石用花立てに関する出願は多いが、例えば、特開２０００−１９２６９１号公報に示されているように、いずれも使用していない時に、内部に水がたまらないことを目的とした技術ではない。
【先行技術文献】
【特許文献】
【０００７】
【特許文献１】特開２０００−１９２６９１号公報
【発明の概要】
【発明が解決しようとする課題】
【０００８】
墓に備える花立は夏場、秋口にボウフラの発生源となり、ウイルスや病原菌の媒介等問題が発生しやすい。特に周辺に住宅を控える地域の寺や霊園、個人墓地では周辺環境に与える影響が極めて大きい。墓地の所有者は花を手向けた後、そのまま帰ってしまい現場不在であるため近隣への負荷に気がつかない人が多い。
【０００９】
その後に寺院や霊園の管理者が清掃等を行うが、枯れた切り花の撤去と周辺の清掃が主であり各墓毎個別に花立に溜まった水の管理、雨が降る度に水を排出することまで行うのは困難である。  溜まったままの水は、夏場秋口に数日でボウフラが湧き近隣の伝染性病原蚊の発生源となる。
【課題を解決するための手段】
【００１０】
現在一般に利用されている花立は開口部が扇上に広がり逆さに伏せて納められる形状になっていない。この花立の形状を工夫して参拝、墓参後の枯れた切り花の撤去と共に水の排出と花立を逆さにして受け石に納めることで水の滞留を防ぐことが出来る。
【００１１】
本発明は、花を生けるための有底筒状の本体部と、本体部の長手方向の途中に取り付けられた鍔とを有し、前記本体部は底部の外径と花を挿入する開口部の外径とが、ほぼ同一で有り前記開口部に飾り縁がない事を特徴とする花立である。
また、前記本体部の開口部に断面が凸凹状をなす補強部を設けたことを特徴とする花立である。
また、鍔を本体の中間部分に付けることを特徴とする花立である。
【発明の効果】
【００１２】
花立の正位と逆位の際に花立が風に揺られて音を立てないように、そして受け石との隙間にゴミ等が入り込まないように鍔状の枠、又は膨らみを付けて丁度受け石にその鍔部分を乗せるように挿入することにより安定して受け石に納めることが出来る。花立を逆さにしても受け石に納められる。逆さに伏せた状態で水の滞留を防ぎ溜まり水の腐敗、ボウフラの発生防止、感染症予防の効果が期待できる。
【図面の簡単な説明】
【００１３】
【図１】図１は本発明の花立全体の形状を示す。
【図２】図２は本発明の花立を受け石に装着した状態を示す。
【図３】図３は本発明の花立を逆位の状態で装着し納めた状態を示す。
【図４】図４は本発明の花立コンパクト型の形状を示す。
【図５】図５は本発明の花立コンパクト型を示す。従来型と同じように露出部が少なく受け石装着時に正位でも逆位でも目立たない。
【図６】図６は本発明の花立安定型を示す。伏せ時に深く挿せるので強風時に安定する。
【図７】図７は受け石に本発明の花立を挿入して花を供えた状態を示す。
【図８】図８は現在一般的に利用されている従来型花立を示す。。
【発明を実施するための形態】
【００１４】
図1は、本発明の花立を示す。有底部と開口部をもったほぼ同径の円筒形状の容器であり、中間の鍔を中心に正位又は逆位として上下反転して使用することが出来る。このため従来からある既存の花立受け石に正位、逆位のどちらからも挿入可能で有り、墓地の花立受け石に安定して装着設置できる形状を特徴とする。
【００１５】
図2は、本発明の花立に水を湛えて花立受け石に装着設置した状態を示す。使用形態は従来の花立と同じであるが、装着された鍔から上部の形状が同径の円筒形状であり、従来の花立のように飾り縁等の広がりがない特徴をもつ。
【００１６】
図3は、本発明の花立に水を湛えず花を差さない期間、花立を伏せて逆位の状態、つまりドライの状態で設置した際の形状を示す。一般的な墓は年間を通して、花立に花を差さない期間が殆どであり、また長期間仏事を行わない場合にも、雨水を初めとした水の滞留を防ぎ乾燥状態を維持できることを特徴とする。
【００１７】
図4は．本発明のコンパクト型花立(本体の長さが短い実施例である。正位にて花を差した際の鍔から上の立ち上がり部分が低いため花立の筒露出部が少なく花立本体が目立ちにくい形状を特徴とする。
【００１８】
図5は．本発明のコンパクト型花立の、逆位の状態で設置した場合の形状を示す。この場合花立受け石への挿入部分が少ないため、風による影響を受けることがある。
【００１９】
図6は，本発明の安定型花立を示す。正位にて花を差した際の鍔から上の立ち上がり部分が高いため花立本体の露出部分が目立つため、これをアクセントと捉えれば花立の存在感が際立つ。また逆位にて水を排出して伏せた状態で装着設置した場合は、水のない軽量になっても挿入部分が深いため強風による花立受け石からの抜け出しが起きにくく安定保管できることを特徴とする。
【００２０】
図7は、本発明の花立に水を湛え花を差した本来の使用状態を示す。
【００２１】
図8は．一般的に利用されている従来型の花立で主なもの。図Aは最近、最もよく見かけるタイプであるが、逆位にて伏せて保管することに適さない。Ｂは、一見「単独で伏せて保管」することも可能であるが屋外の墓地の場合強風によって倒されてしまう可能性が大きく不安定な保管になる。
【００２２】
以下に本発明の詳細を説明する。本体部は花を生けるための筒状開口部と水を湛える有底部をもち、本体部の外径は底部の外径と花を挿入する開口部の外径とほぼ同じである。開口部には従来の飾り縁が存在しない。鍔は本体部の長手方向の途中に取り付けられている。
【００２３】
この飾り縁を無くし、上下同じ筒状にして、中途に鍔を設ける。上下同じ径の筒状にすることで石受けに逆さに挿入することが可能になる。この場合の鍔は正位、逆位のそれぞれの状態において花立を受け石上で安定させる目的を持つ。
【００２４】
また受け石との間の隙間を鍔で被せることによりゴミや砂が入るのを防ぐ。逆位の「水がない軽量状態」での風による騒音を防ぐことが可能で、この鍔を中心として正位で供花、逆位で供花の水を排水したあと日常の雨水の滞留や水溜まりの防止を図る。
【符号の説明】
【００２５】
１：本体部
２：鍔
３：底部
４：開口部
５：補強部
６：花立受け石
７：受け石の空洞部
【図１】
2019120035.tif 000003
【図２】
2019120035.tif 000004
【図３】
2019120035.tif 000005
【図４】
2019120035.tif 000006
【図５】
2019120035.tif 000007
【図６】
2019120035.tif 000008
【図７】
2019120035.tif 000009
【図８】
2019120035.tif 000010